(57)【特許請求の範囲】
【請求項１】
下部に脚柱の取付部を備える中央片と、この中央片の両側から水平に延出する左右１対の支持片とを具備し、前記支持片の外周縁を上方に屈曲させることにより、側縁と後縁との角部において連続する起立縁を形成するとともに、前記支持片における後両側部に凹所を設けて、この部分を、肘掛けの下端が取り付けられる肘掛け取付部とし、かつ前記支持片における肘掛け取付部より内方の部分に、上方に突出する補強部を形成し、この補強部と起立縁とにより、前記肘掛け取付部の両側方と後方を囲むようにしたことを特徴とする椅子の肘掛けの取付構造。
【請求項２】
補強部が、肘掛け取付部を、その内方から前方にかけて囲む円弧状部を有していることを特徴とする請求項１記載の椅子の肘掛けの取付構造。
【請求項３】
中央片と支持片とを、別部材で構成し、これらを接合することによって、座席取付金具を形成したことを特徴とする請求項１または２記載の椅子の肘掛けの取付構造。
【発明の詳細な説明】
【０００１】
【発明の属する技術分野】
本発明は、椅子の肘掛けの取付構造に関する。
【０００２】
【従来の技術】
椅子の肘掛けの取付構造の公知例として、特開平8-38299号公報記載のものがある。この椅子は、肘掛けを支持する部材として、アルミダイキャストや、鉄製の補強部材をアウターシェルに取り付けることによって、肘掛けにかかる荷重に対する強度を確保している。
【０００３】
【発明が解決しようとする課題】
しかし、上記公報記載の椅子の場合、補強部材をアルミダイキャストで構成したものは、材料費が高いために全体としての製造コストの上昇をもたらし、鉄製のものは、椅子全体の重量増をもたらすという問題がある。さらに、肘掛けを取り付けるための補強部材をアウターシェルにねじ止めしているので、組立作業が煩雑であるとともに、部品点数が多くなっている。
【０００４】
また、上記の椅子では、アウターシェルに荷重を支持する構造体としての機能を持たせているため、アウターシェル自体の厚さが厚くなり、椅子の重量増を招くという問題がある。
加えて、アウターシェルを構造体として機能させるための強度を確保するために、アウターシェルの表面に補強リブを設ける必要があり、デザイン的に見栄えが悪くなるとともに、シェル成形用の金型の構造が複雑化し、コストアップを招来する。
【０００５】
本発明は、従来の技術が有する上述のような問題点に鑑みてなされたもので、コスト的に安価であるとともに、椅子全体を軽量化することが可能で、しかもデザイン的に優れた椅子の肘掛けの取付構造を提供することを目的とする。
【０００６】
【課題を解決するための手段】
本発明は、次のようにして上記課題を解決している。
(１) 下部に脚柱の取付部を備える中央片と、この中央片の両側から水平に延出する左右１対の支持片とを具備し、前記支持片の外周縁を上方に屈曲させることにより、側縁と後縁との角部において連続する起立縁を形成するとともに、前記支持片における後両側部に凹所を設けて、この部分を、肘掛けの下端が取り付けられる肘掛け取付部とし、かつ前記支持片における肘掛け取付部より内方の部分に、上方に突出する補強部を形成し、この補強部と起立縁とにより、前記肘掛け取付部の両側方と後方を囲むようにする。
【０００７】
(２) 上記（１) 項において、補強部が、肘掛け取付部を、その内方から前方にかけて囲む円弧状部を有するものとする。
【０００８】
(３) 上記（１) 項または（２) 項において、中央片と支持片とを、別部材で構成し、これらを接合することによって、座席取付金具を形成する。
【０００９】
【発明の実施の形態】
次に、本発明に係る椅子の肘掛けの取付構造の実施形態について、添付図面を参照しながら説明する。
【００１０】
図１は、本実施形態の椅子の肘掛けの取付構造が適用された椅子を前上方から見た分解斜視図である。
【００１１】
図１に示すように、この椅子は、背もたれ部(10)と、座席部(12)と、脚部(14)等とを備えている。
【００１２】
背もたれ部(10)は、後述する座席取付金具に下端が固定された背もたれ杆(16)に沿って、上下動可能となっている。背もたれ部(10)は、表皮材(18)、背クッション材(20)、インナーシェル(22)、アウターシェル(24)等を備え、表皮材(18)及び背クッション材(20)は、インナーシェル(22)に公知の手段によって取り付けられている。インナーシェル(22)は、アウターシェル(24)に対してねじ止めされ、背もたれ杆(16)は、インナーシェル(22)とアウターシェル(24)との間に、摺動可能に配置されている。
【００１３】
座席部(12)は、座クッション材(26)、座インナーシェル(28)、座アウターシェル(29)、座席取付金具(30)等を具備している。座クッション材(26)は、座インナーシェル(28)の上面に張設され、座インナーシェル(28)の下面は、座アウターシェル(29)によって覆われている。座席取付金具(30)は、座インナーシェル(28)と座アウターシェル(29)とを支持し、座席にかかる荷重を受け止める役割を有している。
【００１４】
図２は、座席取付金具(30)の平面図、図３は、図２のIII-III線に沿った断面図である。図２に示すように、座席取付金具(30)は、中央片(32)と、中央片(32)に溶接接合された左右１対の支持片(34a)(34b)とからなっている。図３に示すように、中央片(32)は、正面視上向コ字状の箱形をなし、中央の箱状部(32a)には、脚部(14)の脚柱(14a)の上端部が取り付けられる取付筒(36)が設けられている。
【００１５】
図４及び図５は、中央片(32)を拡大して示しており、中央片(32)は、鉄製の箱状部(32a)を、板金加工等によって形成された鉄製の板状部(32b)に溶接することによって構成されている。箱状部(32a)には、図１に示すように、椅子の背もたれ杆(16)の下端が、左右方向のピン(38)によって傾動可能に取り付けられている。
【００１６】
中央片(32)の後部面側には、座インナーシェル(28)取付用の通孔(40)が穿設され、座インナーシェル(28)は、ねじ(42)によって、中央片(32)にアウターシェル(29)とともに固定されている。
【００１７】
図２及び図３に示すように、支持片(34a)(34b)の後部には、それぞれ計３箇所の肘掛け取付用のねじ孔(35)が設けられている。ねじ孔(35)は、支持片(34a)(34b)に穿設した孔に、ナットを溶接することによって形成されている。
【００１８】
座席取付金具(30)の外周縁には、上方に屈曲させることにより、側縁と後縁との角部において連続する補強のための起立縁(37)が形成され、かつねじ孔(35)の周囲には、凹所(39)がプレス成形によって形成されている。支持片(34a)(34b)には、肘掛け取付部における３個のねじ孔(35)を、その内方から前方にかけて囲む円弧状部を有する補強部(41)が、上方に突出するように形成されている。
【００１９】
図１に示すように、肘掛け(44)は、支持片(34a)(34b)のねじ孔(35)に、止めねじ(46)によって取り付け固定されている。
【００２０】
肘掛け(44)に荷重が作用した場合、前記凹所(39)及び補強部(41)によって、座席取付金具(30)は、荷重に耐える十分な強度を発揮し、従来のように、座インナーシェル(28)及び座アウターシェル(29)を構造材として機能させる必要がなくなり、その結果、各シェル自体を厚肉化しなくてすみ、椅子全体の軽量化を図ることができる。
【００２１】
また、座インナーシェル(28)及び座アウターシェル(29)の表面に補強リブを設ける必要がなくなるので、デザイン的に見栄えが向上するとともに、シェルを成形する金型の構造を簡単化することができ、コストダウンが図られる。さらに、シェルの成形時間が短くてすむので、製造効率が向上する。
【００２２】
加えて、シェルに補強部材等を取り付ける必要がないので、部品点数を減少させることができ、椅子の組立作業の効率化、コストダウンを図ることが可能となる。
【００２３】
本実施形態では、中央片(32)と、支持片(34a)(34b)とを別部材として、各部材を溶接することによって座席取付金具(30)を構成しているが、溶接によらず一体成形された打ち抜き材等を用いることも可能である。
【００２４】
【発明の効果】
本発明によれば、次のような効果を奏すことができる。
(a) 請求項１の発明によると、座アウターシェル及び座インナーシェルを薄肉化することができるので、椅子全体を軽量化することができる。
また、シェルに補強リブを設ける必要がないので、デザインが向上するとともに、シェル成形用の金型の構造を簡単化することが可能となり、製造コストを低減することができる。
【００２５】
(b) 請求項２の発明によると、簡単化された構成により、支持片の強度を向上させることができる。
【００２６】
(C) 請求項３の発明によると、座席取付金具を、複数の部材を組み合わせて構成しているので、安価な鉄製の部材を使用することが可能となり、椅子全体のコストダウンが図られる。
【図面の簡単な説明】
【図１】  本発明の椅子の一実施形態を前上方から見た分解斜視図である。
【図２】  座席取付金具の平面図である。
【図３】  図２のII-II線に沿った断面図である。
【図４】  中央片の拡大平面図である。
【図５】  同じく、中央片の正面図である。
【符号の説明】
(10)背もたれ部
(12)座席部
(14)脚部
(14a)脚柱
(16)背もたれ杆
(18)表皮材
(20)背クッション材
(22)インナーシェル
(24)アウターシェル
(26)座クッション材
(28)座インナーシェル
(29)座アウターシェル
(30)座席取付金具
(32)中央片
(32a)箱状部
(32b)板状部
(34a)(34b)支持片
(35)ねじ孔
(36)取付部
(37)外周縁
(38)ピン
(39)凹所
(40)通孔
(41)補強部
(42)ねじ
(44)肘掛け
(46)止めねじ
【図１】
0004008572.tif 000002
【図２】
0004008572.tif 000003
【図３】
0004008572.tif 000004
【図４】
0004008572.tif 000005
【図５】
0004008572.tif 000006